(57)【特許請求の範囲】
【請求項１】
排ガス試料をガス捕集用の水に溶解させ、水に溶解したクロロフェノール類の蛍光強度を測定することにより、予め検量されたクロロフェノール類の濃度と蛍光強度との相関関係からクロロフェノール類の濃度を求める排ガス中のクロロフェノール類の測定方法において、排ガス試料をガス捕集用の水に溶解させる前に、排ガス試料中の二酸化窒素（ＮＯ2）を一酸化窒素（ＮＯ）に変換することを特徴とする排ガス中のクロロフェノール類の測定方法。
【請求項２】
排ガス試料をガス捕集用の水に溶解させ、水に溶解したクロロフェノール類の蛍光強度を測定することにより、予め検量されたクロロフェノール類の濃度と蛍光強度との相関関係からクロロフェノール類の濃度を求める排ガス中のクロロフェノール類の測定方法において、水に溶解した硫黄酸化物（ＳＯX ）による蛍光強度を含むクロロフェノール類の見かけの蛍光強度測定値から、予め検量された硫酸イオン濃度と蛍光強度の相関関係に基づき、硫酸イオンによる蛍光強度分を差し引くことによって前記見かけの蛍光強度測定値を補正することにより、正味のクロロフェノール類の蛍光強度を求めることを特徴とする排ガス中のクロロフェノール類の測定方法。
【請求項３】
排ガス試料をガス捕集用の水に溶解させ、水に溶解したクロロフェノール類の蛍光強度を測定することにより、予め検量されたクロロフェノール類の濃度と蛍光強度との相関関係からクロロフェノール類の濃度を求める排ガス中のクロロフェノール類の測定方法において、水に溶解したフェノールの蛍光強度を含むクロロフェノール類の，二つの異なる所定の測定波長におけるフェノールおよびクロロフェノール類の両者を含む蛍光強度測定値から、予め検量されたクロロフェノール類およびフェノールの蛍光強度と前記測定波長との関係に基づいて求めた所定の演算式により、正味のクロロフェノール類の蛍光強度を求めることを特徴とする排ガス中のクロロフェノール類の測定方法。
【請求項４】
請求項３記載の測定方法において、二つの異なる所定の測定波長は、２９６nmおよび３１０nmであり、所定の演算式は、当該各波長におけるフェノールおよびクロロフェノール類の両者を含む蛍光強度測定値をそれぞれａおよびｂとし、正味のクロロフェノール類の蛍光強度をｘ，正味のフェノールの蛍光強度をｙとしたとき、正味のクロロフェノール類の蛍光強度ｘを演算するための所定の演算式は、下記の連立方程式
ｋｘ＋ｈｙ＝ａ        （ｋ，ｈは所定の定数）
ｘ＋  ｙ＝ｂ
に基づいて得られる演算式、ｘ＝（ａ−ｈｂ）／（ｋ−ｈ）であることを特徴とする排ガス中のクロロフェノール類の測定方法。
【請求項５】
排ガス試料中の二酸化窒素（ＮＯ2）を一酸化窒素（ＮＯ）に変換するＮＯX変換器と、前記変換後の排ガス試料を水に溶解させるガス捕集器と、ガスを溶解した水をガス捕集器から導入する試料セルと、当該試料セル内の水に溶解したクロロフェノール類の蛍光強度を測定する蛍光強度測定器と、予め検量されたクロロフェノール類の濃度と蛍光強度との相関関係から前記測定器で測定された蛍光強度をクロロフェノール類の濃度に換算するデータ処理装置とからなることを特徴とする排ガス中のクロロフェノール類の測定装置。
【請求項６】
排ガス試料を水に溶解させるガス捕集器と、ガスを溶解した水をガス捕集器から導入する試料セルと、当該試料セル内の水に溶解したクロロフェノール類の蛍光強度を測定する蛍光強度測定器と、予め検量されたクロロフェノール類の濃度と蛍光強度との相関関係から前記測定器で測定された蛍光強度をクロロフェノール類の濃度に換算するデータ処理装置とからなる排ガス中のクロロフェノール類の測定装置において、排ガス試料中の硫黄酸化物（ＳＯX ）の濃度を測定するＳＯX計を設け、前記データ処理装置は、前記ＳＯX計の濃度測定値から硫黄酸化物が水に溶解した際の硫酸イオン濃度を演算するとともに、水に溶解した硫黄酸化物（ＳＯX ）による蛍光強度を含むクロロフェノール類の見かけの蛍光強度測定値から、予め検量された硫酸イオン濃度と蛍光強度の相関関係に基づき、硫酸イオンによる蛍光強度分を差し引くことによって前記見かけの蛍光強度測定値を補正することにより、正味のクロロフェノール類の蛍光強度を求める演算を行うようにしてなることを特徴とする排ガス中のクロロフェノール類の測定装置。
【請求項７】
排ガス試料を水に溶解させるガス捕集器と、ガスを溶解した水をガス捕集器から導入する試料セルと、当該試料セル内の水に溶解したクロロフェノール類の蛍光強度を測定する蛍光強度測定器と、予め検量されたクロロフェノール類の濃度と蛍光強度との相関関係から前記測定器で測定された蛍光強度をクロロフェノール類の濃度に換算するデータ処理装置とからなる排ガス中のクロロフェノール類の測定装置において、前記蛍光強度測定器は、水に溶解したフェノールの蛍光強度を含むクロロフェノール類の，二つの異なる所定の測定波長における見かけの蛍光強度を測定するものであり、前記データ処理装置は、予め検量されたクロロフェノール類およびフェノールの蛍光強度と前記測定波長との関係に基づいて求めた所定の演算式により、正味のクロロフェノール類の蛍光強度を求める演算手段を有するものであることを特徴とする排ガス中のクロロフェノール類の測定装置。
【発明の詳細な説明】
【０００１】
【発明の属する技術分野】
この発明は、例えば一般廃棄物や産業廃棄物を焼却した燃焼排ガス中に含まれるクロロフェノール類の濃度を測定する方法および装置に関する。
【０００２】
【従来の技術】
各種の廃棄物を焼却する際に、焼却炉から極めて猛毒なダイオキシン類が発生し、その排ガスが大きな環境問題の一つとなっていることが知られている。このダイオキシン類を連続的に直接測定するのは困難なために、ダイオキシン類の排出濃度と比較的相関性が高いといわれている一酸化炭素（ＣＯ）や有機化合物の濃度を測定してダイオキシン類の排出濃度を推定している。
【０００３】
前記ＣＯによる方法は連続測定は可能ではあるものの、ＣＯ濃度が概ね５０ppm以下の低濃度領域ではダイオキシン類との相関性が良好でない問題があり、これに対して、例えば、第８回廃棄物学会研究発表会講演論文集５６２〜５６４頁（１９９７年）図５に記載されたように、排ガス中有機化合物、特に、クロロフェノール類は、５０ppm以下の低濃度領域でもダイオキシン類とよい相関性があることが知られている。この観点から、クロロフェノール類の濃度をレーザーイオン化質量分析装置により測定し、ダイオキシン類の濃度を間接的に測定する技術が提案されている（特開平9-243601号公報参照）。
【０００４】
しかしながら、上記クロロフェノール類から間接測定する方法でも、以下のような問題があった。即ち、排ガス中のクロロフェノール類は、他の有機化合物に比較して極性が強く、捕集の際、排ガス中に含まれる水分に移行（溶解）し易い問題、又、分析上、熱的に不安定であるなどの問題があり、正確なダイオキシン類の濃度測定が困難であるという問題があった。
【０００５】
上記のような問題点を解決するために、本願発明者は、前記問題点の「クロロフェノール類が水に溶解し易いという性質」を逆に有効利用し、排ガス試料をガス捕集用の水に積極的に溶解させ、水に溶解したクロロフェノール類の蛍光強度を公知の方法により測定することにより、予め検量されたクロロフェノール類の濃度と蛍光強度との相関関係からクロロフェノール類の濃度を求め、さらに、予め検量されたクロロフェノール類の濃度とダイオキシン類の濃度との相関関係からダイオキシン類の濃度を間接的に求める方法を提案した（特願平10-221610号参照）。
【０００６】
【発明が解決しようとする課題】
しかしながら、上記クロロフェノール類の測定方法においても、以下のような問題がある。排ガス中には、種々の無機化合物および有機化合物が存在するが、窒素酸化物（ＮＯX）は、水に溶解して硝酸イオンおよび亜硝酸イオンを生じ、紫外部に吸収帯を持つことから、クロロフェノール類の蛍光強度を減少させるという問題がある。
【０００７】
次に、硫黄酸化物（ＳＯX ）は水に溶解して硫酸イオンを生じ、捕集水のｐＨが１以下になるような高濃度の場合、クロロフェノール類の測定波長域（約400nm以下）に蛍光スペクトルが現れるため、実際のクロロフェノール類の濃度より蛍光強度の測定値が大きくなるという問題がある。
【０００８】
さらに、フェノールはクロロフェノール類と同様に比較的水に溶けやすく、自然蛍光を有することから、クロロフェノール類の蛍光強度を測定する際、フェノールのスペクトルが含まれてしまい、実際のクロロフェノール類の濃度より蛍光強度の測定値が大きくなるという問題点がある。
【０００９】
本発明は、上記のような問題点を解決するためになされたもので、本発明の課題は、排ガス中のクロロフェノール類を測定する際に、クロロフェノール類の蛍光強度に影響を及ぼし測定誤差をもたらす物質、即ち、窒素酸化物（ＮＯX），硫黄酸化物（ＳＯX ）およびフェノールの影響を、削減もしくは除去する測定方法および装置を提供することにある。
【００１０】
【課題を解決するための手段】
前述の課題を解決するため、請求項１の発明では、排ガス試料をガス捕集用の水に溶解させ、水に溶解したクロロフェノール類の蛍光強度を測定することにより、予め検量されたクロロフェノール類の濃度と蛍光強度との相関関係からクロロフェノール類の濃度を求める排ガス中のクロロフェノール類の測定方法において、排ガス試料をガス捕集用の水に溶解させる前に、排ガス試料中の二酸化窒素（ＮＯ2）を一酸化窒素（ＮＯ）に変換することとする。後に詳述するように、水へのＮＯXの吸収率は、排ガス中のＮＯの割合が大きい程低下するので、ＮＯ2をＮＯに変換することにより、クロロフェノール類を捕集する際に、水に溶解するＮＯXを減少することができ、クロロフェノール類の蛍光強度減少による測定精度の低下を防止することができる。
【００１１】
上述の方法を実現する装置としては、請求項５の発明のように、排ガス試料を水に溶解させるガス捕集器の前段に、排ガス試料中の二酸化窒素（ＮＯ2）を一酸化窒素（ＮＯ）に変換するＮＯX変換器を設けるものとする。ＮＯX変換器としては、例えば、活性炭やモリブデン等の触媒を利用した市販のＮＯX変換器を使用することができる。
【００１２】
また、請求項２の発明では、排ガス試料をガス捕集用の水に溶解させ、水に溶解したクロロフェノール類の蛍光強度を測定することにより、予め検量されたクロロフェノール類の濃度と蛍光強度との相関関係からクロロフェノール類の濃度を求める排ガス中のクロロフェノール類の測定方法において、水に溶解した硫黄酸化物（ＳＯX ）による蛍光強度を含むクロロフェノール類の見かけの蛍光強度測定値から、予め検量された硫酸イオン濃度と蛍光強度の相関関係に基づき、硫酸イオンによる蛍光強度分を差し引くことによって前記見かけの蛍光強度測定値を補正することにより、正味のクロロフェノール類の蛍光強度を求めることとする。これにより、硫黄酸化物（ＳＯX ）の影響による測定誤差を補正することができる。
【００１３】
上述の方法を実現する装置としては、請求項６の発明のように、排ガス試料中の硫黄酸化物（ＳＯX ）の濃度を測定するＳＯX計を設け、データ処理装置は、前記ＳＯX計の濃度測定値から硫黄酸化物が水に溶解した際の硫酸イオン濃度を演算するとともに、水に溶解した硫黄酸化物（ＳＯX ）による蛍光強度を含むクロロフェノール類の見かけの蛍光強度測定値から、予め検量された硫酸イオン濃度と蛍光強度の相関関係に基づき、硫酸イオンによる蛍光強度分を差し引くことによって前記見かけの蛍光強度測定値を補正するものとする。
【００１４】
さらに、請求項３の発明では、排ガス試料をガス捕集用の水に溶解させ、水に溶解したクロロフェノール類の蛍光強度を測定することにより、予め検量されたクロロフェノール類の濃度と蛍光強度との相関関係からクロロフェノール類の濃度を求める排ガス中のクロロフェノール類の測定方法において、水に溶解したフェノールの蛍光強度を含むクロロフェノール類の，二つの異なる所定の測定波長におけるフェノールおよびクロロフェノール類の両者を含む蛍光強度測定値から、予め検量されたクロロフェノール類およびフェノールの蛍光強度と前記測定波長との関係に基づいて求めた所定の演算式により、正味のクロロフェノール類の蛍光強度を求めることとする。
【００１５】
具体的に好適な方法としては、請求項４に記載したとおり、二つの異なる所定の測定波長は、後述するように、フェノールおよびクロロフェノール類の蛍光スペクトルの極大波長である２９６nmおよび３１０nmとする。前記所定の演算式としては、詳細は後述するが、当該各波長における見かけの蛍光強度測定値をそれぞれａおよびｂとし、正味のクロロフェノール類の蛍光強度をｘ，正味のフェノールの蛍光強度をｙとしたとき、正味のクロロフェノール類の蛍光強度ｘを演算するための所定の演算式は、下記の連立方程式
ｋｘ＋ｈｙ＝ａ        （ｋ，ｈは所定の定数）
ｘ＋  ｙ＝ｂ
に基づいて得られる演算式、ｘ＝（ａ−ｈｂ）／（ｋ−ｈ）とし、これによりｘを求めることとする。これにより、フェノールの影響による測定誤差を補正することができる。
【００１６】
上述の方法を実現する装置としては、請求項７の発明のように、蛍光強度測定器を、水に溶解したフェノールの蛍光強度を含むクロロフェノール類の，二つの異なる所定の測定波長における見かけの蛍光強度を測定するものとし、データ処理装置を、予め検量されたクロロフェノール類およびフェノールの蛍光強度と前記測定波長との関係に基づいて求めた所定の演算式により、正味のクロロフェノール類の蛍光強度を求める演算手段を有するものとする。
【００１７】
【発明の実施の形態】
図面により、本発明の実施の形態について以下にのべる。
【００１８】
実施例１
図１は、請求項１および請求項５の発明に関わる実施例を示す構成図である。同図において、１は排ガス試料２中の二酸化窒素（ＮＯ2）を一酸化窒素（ＮＯ）に変換するＮＯX変換器、３は排ガス試料２を水に溶解させるガス捕集装置、４はガスを溶解した水をガス捕集装置３から導入する試料セル、５は水に溶解したクロロフェノール類の蛍光強度を測定する蛍光強度測定器、６は予め検量されたクロロフェノール類の濃度と蛍光強度との相関関係から前記測定器で測定された蛍光強度をクロロフェノール類の濃度に換算するデータ処理装置を示す。さらに、必要であれば、前述の特願平10-221610号に記載されたように、予め検量されたクロロフェノール類の濃度とダイオキシン類の濃度との相関関係からダイオキシン類の濃度に換算する機能をデータ処理装置６に付与しても良い。
図１のＮＯX変換器１の機能に関し以下に詳述する。排ガスに含まれるＮＯXは濃度が数十ppm、その90%以上がＮＯで、残りはＮＯ2である。ＮＯXは水に溶解して硝酸イオンおよび亜硝酸イオンを生じるが、両イオンは紫外部（400nm以下）に吸収帯を持つため、クロロフェノール類の蛍光強度を測定する際の励起光（モノクロロフェノール測定の場合：230nm）および蛍光（モノクロロフェノール測定の場合：310nm）を吸収する。
【００１９】
図２、３は、モノクロロフェノール標準液（100μg/L）中の硝酸イオンおよび亜硝酸イオンと蛍光強度との関係を示すが、硝酸イオンＮＯ3-および亜硝酸イオンＮＯ2-が増加するにしたがって、モノクロロフェノール標準液の蛍光強度は著しく小さくなることが分かる。なお、図２、３において、p-CPは、モノクロロフェノールの三つの異性体（オルト、メタ、パラ）の内の一つであるパラクロロフェノールであることを示す。
【００２０】
上記から明らかなように、硝酸イオンＮＯ3-および亜硝酸イオンＮＯ2-を低減することにより、より正しい蛍光強度の測定が可能となることが分かる。そのためには、ＮＯXの水への吸収・溶解を出来る限り減少させることが必要となる。図４は、ＮＯもしくはＮＯ2標準ガスを大気で希釈した模擬排ガス中のＮＯX組成を変えたときの、水へのＮＯXの吸収率を示す。実験条件は、模擬排ガス流量＝10L/min、ＮＯX濃度≒4ppm（4〜80ppmの間で濃度依存性なし）、捕集水量＝20ml、相対湿度＝50%（室温）で行い、ＮＯXの吸収にはガス捕集装置３を使用した。前述のように、排ガスに含まれるＮＯXは、その90%以上がＮＯで、残りはＮＯ2であるので、図４の横軸が０．１以下の範囲が対象領域となるが、図４より、模擬排ガス中に占めるＮＯの割合が大きいほどＮＯX吸収率は低くなり、ＮＯのみの場合、ＮＯX吸収率はほぼ０%となる。
【００２１】
従って、排ガス試料をガス捕集用の水に溶解させる前に、前述のように、排ガス試料中のＮＯ2をＮＯに変換することにより、捕集水に溶解するＮＯXを削減でき、クロロフェノール類の蛍光強度減少による測定精度の低下を防止することができる。
【００２２】
実施例２
図５は、請求項２および６の発明に関わる実施例を示す構成図である。図６は、硫酸イオンの蛍光スペクトルを示す。図５において図１と同一部材２〜５に関しては、同一番号を付して説明を省略する。図５において、７はＳＯx計である。
排ガス中のＳＯxは濃度が数〜数十ppmで、水に溶解して硫酸イオンを生じ、捕集水のｐＨを１以下にするような高濃度の場合、図６に示すように、クロロフェノール類の測定波長域（約400nm以下）に蛍光スペクトルが現れるため、実際のクロロフェノール類の濃度より蛍光強度が大きくなる。
【００２３】
そこで、予め検量されたＳＯx濃度と捕集水に溶け込む硫酸イオン濃度との関係から、ＳＯx計７より出力されたＳＯx濃度をデータ処理装置６１において硫酸イオン濃度に演算するとともに、水に溶解した硫黄酸化物（ＳＯX ）による蛍光強度を含むクロロフェノール類の見かけの蛍光強度測定値から、予め検量された硫酸イオン濃度と蛍光強度の相関関係に基づき、硫酸イオンによる蛍光強度分を差し引くことによって前記見かけの蛍光強度測定値を補正することにより、正味のクロロフェノール類の蛍光強度を求めることができる。
【００２４】
実施例３
図７は請求項３，４および７の発明に関わる実施例を示す構成図である。同図において図１と同一部材２〜４に関しては、同一番号を付して説明を省略する。図７において、５１は、図１または図５とは異なる機能を備えた蛍光強度測定器、６２は、図１または図５とは異なる機能を備えたデータ処理装置である。
【００２５】
排ガス中のフェノールはクロロフェノール類と同様に比較的水に溶けやすく、自然蛍光を有することから、クロロフェノール類の蛍光強度を測定する際、フェノールのスペクトルが含まれてしまい、実際のクロロフェノール類の濃度より蛍光強度が大きくなる。そこで、実施例２の場合と同様にして、見かけのクロロフェノール類の蛍光強度から、フェノールの蛍光強度を差し引けば補正できるわけであるが、両者の蛍光強度の極大を示す波長が異なるので、実施例２のように、一つの測定波長に基づく単純補正はできない。
【００２６】
図８に励起波長＝230nmのときのフェノールとモノクロロフェノールの蛍光スペクトルを示す。このように両者の極大波長は異なる。そこで、本発明者は、フェノールとモノクロロフェノールの濃度を変えて図８と同様のデータを吟味した結果、互いの極大波長（図８では、それぞれ296nm、310nm）における蛍光強度を測定し、検量することにより、予め両者の濃度と蛍光強度との関係式を求めておくことにより補正することができることを見いだした。
【００２７】
その方法は、請求項３および４に記載の方法であって、即ち、水に溶解したフェノールの蛍光強度を含むクロロフェノール類の，二つの異なる所定の測定波長におけるフェノールおよびクロロフェノール類の両者を含む蛍光強度測定値から、予め検量されたクロロフェノール類およびフェノールの蛍光強度と前記測定波長との関係に基づいて求めた所定の演算式により、正味のクロロフェノール類の蛍光強度を求める。具体的には、二つの異なる所定の測定波長は、前述のフェノールおよびクロロフェノール類の蛍光スペクトルの極大波長である２９６nmおよび３１０nmとする。前記所定の演算式としては、当該各波長における見かけの蛍光強度測定値をそれぞれａおよびｂとし、正味のクロロフェノール類の蛍光強度をｘ，正味のフェノールの蛍光強度をｙとしたとき、正味のクロロフェノール類の蛍光強度ｘを演算するための所定の演算式は、下記の連立方程式
ｋｘ＋ｈｙ＝ａ        （ｋ，ｈは所定の定数）
ｘ＋  ｙ＝ｂ
に基づいて得られる式、ｘ＝（ａ−ｈｂ）／（ｋ−ｈ）とし、これによりｘを求める。
【００２８】
上記において、ｋ，ｈを所定の定数と仮定することにより、正味のクロロフェノール類の蛍光強度ｘを算定できることになるが、この発明は、前記仮定をおいても実用上精度のよい測定が可能であることを、各種測定データから見いだした知見に基づいてなされたものである。
【００２９】
図７の蛍光強度測定器５１において、２つの異なる測定波長（上記の場合、296nm・310nm）における蛍光強度を測定し、データ処理装置６２において、前述の演算を行うことにより、モノクロロフェノールの真の濃度を求めることができる。
【００３０】
ところで、前記の実施例においては、排ガス中のクロロフェノール類を測定する際に、クロロフェノール類の蛍光強度に影響を及ぼし測定誤差をもたらす物質、即ち、窒素酸化物（ＮＯX），硫黄酸化物（ＳＯX ）およびフェノールのそれぞれの影響を、個別に削減もしくは除去する測定方法および装置に関して述べたが、実際の排ガス中には、上記三つの物質が二種類または三種類複合して存在することが多い。この場合には、前述の方法または装置を、対象となる排ガスの条件に合わせて、適宜組み合わせて使用することができる。
【００３１】
【発明の効果】
以上のように、この発明によれば、排ガス試料をガス捕集用の水に溶解させ、水に溶解したクロロフェノール類の蛍光強度を測定することにより、予め検量されたクロロフェノール類の濃度と蛍光強度との相関関係からクロロフェノール類の濃度を求める排ガス中のクロロフェノール類の測定方法または装置において、▲１▼排ガス試料をガス捕集用の水に溶解させる前に、排ガス試料中の二酸化窒素（ＮＯ2）を一酸化窒素（ＮＯ）に変換すること、また、▲２▼水に溶解した硫黄酸化物（ＳＯX ）による蛍光強度を含むクロロフェノール類の見かけの蛍光強度測定値から、予め検量された硫酸イオン濃度と蛍光強度の相関関係に基づき、硫酸イオンによる蛍光強度分を差し引くことによって前記見かけの蛍光強度測定値を補正すること、さらに、▲３▼水に溶解したフェノールの蛍光強度を含むクロロフェノール類の，二つの異なる所定の測定波長におけるフェノールおよびクロロフェノール類の両者を含む蛍光強度測定値から、予め検量されたクロロフェノール類およびフェノールの蛍光強度と前記測定波長との関係に基づいて求めた所定の演算式により、正味のクロロフェノール類の蛍光強度を求めることにより、排ガス中のクロロフェノール類を測定する際に、クロロフェノール類の蛍光強度に影響を及ぼし測定誤差をもたらす物質、即ち、窒素酸化物（ＮＯX），硫黄酸化物（ＳＯX ）およびフェノールの影響を、削減もしくは除去してクロロフェノール類の濃度を精度よく測定することが可能となる。
【図面の簡単な説明】
【図１】この発明の第１の実施例を示す構成図である。
【図２】モノクロロフェノール標準液中の硝酸イオンと蛍光強度との関係を示す図である。
【図３】モノクロロフェノール標準液中の亜硝酸イオンと蛍光強度との関係を示す図である。
【図４】模擬汚染ガス中のＮＯX組成と水へのＮＯX吸収率の関係を示す図である。
【図５】この発明の第２の実施例を示す構成図である。
【図６】硫酸イオンの蛍光スペクトルを示す図である。
【図７】この発明の第３の実施例を示す構成図である。
【図８】フェノールとモノクロロフェノールの蛍光スペクトルを示す図である。
【符号の説明】
１：ＮＯX変換器、３：ガス捕集装置、４：試料セル、５，５１：蛍光強度測定器、６，６１，６２：データ処理装置。
【図１】
0003672071.tif 000002
【図２】
0003672071.tif 000003
【図３】
0003672071.tif 000004
【図４】
0003672071.tif 000005
【図５】
0003672071.tif 000006
【図６】
0003672071.tif 000007
【図７】
0003672071.tif 000008
【図８】
0003672071.tif 000009